(57)【特許請求の範囲】
【請求項１】
遊技場等の施設内に設置されたＩＤ情報読込手段を有する自動販売機と、遊技場等の施設が保有する管理装置とがオンラインで接続され、ＩＤ情報媒体によるキャッシュレス販売を行う自動販売機ネットワークシステムであって、自動販売機は、売上情報を管理装置へ送信する売上情報送信手段と、売上情報を記憶する売上情報記憶手段と、決済指示情報をＩＤ情報として予め記憶する決済指示情報記憶手段と、ＩＤ情報媒体が有するＩＤ情報が決済指示情報であるか否か判定する判定手段と、ＩＤ情報媒体が有するＩＤ情報が決済指示情報である時に決済指示を遊技場等の施設が保有する管理装置へ送信する決済指示情報送信手段と、ＩＤ情報媒体が有するＩＤ情報が決済指示情報である時に売上情報を帳票出力する帳票出力手段とを有し、遊技場等の施設が保有する管理装置は、自動販売機から受信した売上情報を記憶する売上情報記憶手段と、自動販売機から決済指示情報を受信した時と遊技場等の施設から決済指示情報を受信した時とに自動販売機の売上情報を帳票出力する帳票出力手段とを有することを特徴とする自動販売機ネットワークシステム。
【発明の詳細な説明】
【０００１】
【発明の属する技術分野】
本発明は、キャッシュレス販売用の自動販売機ネットワークシステムに関するものである。
【０００２】
【従来の技術】
遊技場等の施設内に設置したＩＤ情報読込手段を有する自動販売機と、遊技場等の施設が保有する管理装置とをオンラインで接続し、施設の利用者は、カード等のＩＤ情報媒体を使用して自動販売機から商品を購入し、支払いは施設のフロントで行うように構成した、キャッシュレス販売用の自動販売機ネットワークシステムが、遊技場、アスレチックジム、宿泊施設等で利用されている。
自動販売機の設置業者と、遊技場等の施設の運営業者とが異なる場合、従来のキャッシュレス販売用の自動販売機ネットワークシステムにおいては、以下の何れかの方法で決済を行っていた。
▲１▼  自動販売機、管理装置双方で別個独立に売上情報を集計し、双方の売上情報を突き合わせて決済する。
▲２▼  管理装置が売上情報を集計し、管理装置の売上情報に基づいて決済する。▲３▼  自動販売機に決済指示ボタンを付加し、自動販売機の決済を管理装置に知らせ、管理装置の売上情報に基づいて決済する。
▲４▼  自動販売機の管理者が自動販売機の決済を管理装置のオペレータに口頭で知らせ、管理装置の売上情報に基づいて決済する。
【０００３】
【発明が解決しようとする課題】
従来のキャッシュレス販売用の自動販売機ネットワークシステムにおける決済方法には以下の問題があった。
▲１▼、▲２▼の方法には、自動販売機側の決済タイミングと、施設側の決済タイミングが異なる場合、両者の売上情報が一致しないので、決済の際にミスを生じやすいという問題がある。
▲３▼の方法には、決済ボタンの付加により、自動販売機の製造コストが増加するという問題がある。
▲４▼の方法には、自動販売機の管理者と管理装置のオペレータとの間で情報の行き違いを生じやすく、決済の際にミスを生じやすい。
本発明は上記問題に鑑みてなされたものであり、遊技場等の施設内に設置されたＩＤ情報媒体読込手段を有する自動販売機と、遊技場等の施設が保有する管理装置とがオンラインで接続され、ＩＤ情報媒体によるキャッシュレス販売を行う自動販売機ネットワークシステムであって、自動販売機の製造コストの上昇を招くことなく、決済時のミスを防止できる、自動販売機ネットワークシステムを提供することを目的とする。
【０００４】
【課題を解決するための手段】
上記課題を解決するために、本発明においては、遊技場等の施設内に設置されたＩＤ情報読込手段を有する自動販売機と、遊技場等の施設が保有する管理装置とがオンラインで接続され、ＩＤ情報媒体によるキャッシュレス販売を行う自動販売機ネットワークシステムであって、自動販売機は、売上情報を管理装置へ送信する売上情報送信手段と、売上情報を記憶する売上情報記憶手段と、決済指示情報をＩＤ情報として予め記憶する決済指示情報記憶手段と、ＩＤ情報媒体が有するＩＤ情報が決済指示情報であるか否か判定する判定手段と、ＩＤ情報媒体が有するＩＤ情報が決済指示情報である時に決済指示情報を遊技場等の施設が保有する管理装置へ送信する決済指示情報送信手段と、ＩＤ情報媒体が有するＩＤ情報が決済指示情報である時に売上情報を帳票出力する帳票出力手段とを有し、遊技場等の施設が保有する管理装置は、自動販売機から受信した売上情報を記憶する売上情報記憶手段と、自動販売機から決済指示情報を受信した時と遊技場等の施設から決済指示情報を受信した時とに自動販売機の売上情報を帳票出力する帳票出力手段とを有することを特徴とする自動販売機ネットワークシステムを提供する。
【０００５】
本発明に係る自動販売機ネットワークシステムにおいては、自動販売機の設置業者が決済指示情報を有するＩＤ情報媒体を用いて自動販売機に決算の指示を行うと、自動販売機と管理装置の双方が自動販売機の売上情報を帳票出力し、施設の運営業者が管理装置に決算の指示を行うと、管理装置が自動販売機の売上情報を帳票出力する。
本発明に係る自動販売機ネットワークシステムにおいては、自動販売機の売上情報が、自動販売機側の決算タイミングで、自動販売機と管理装置の双方で帳票出力されると共に、施設側の決算タイミングで管理装置で帳票出力されるので、自動販売機側の決算タイミングと施設側の決算タイミング異なっていても、３つの帳票を比較することにより、ミス無く決算することができる。
本発明に係る自動販売機ネットワークシステムにおいては、ＩＤ情報媒体が有する決算指示情報を自動販売機ネットワークシステムの既存のＩＤ情報読込手段に読み込ませれば、決算指示情報が決算指示情報送信手段を介して管理装置へ送信されるので、自動販売機に決算ボタンを付加する必要は無い。決算指示情報送信手段には、従来の自動販売機ネットワークシステムの既存の売上情報送信手段を当てることができる。従来の自動販売機ネットワークシステムの既存のＩＤ情報媒体に決算指示情報を書き込めば、決算指示情報を有するＩＤ情報媒体を作ることができる。従って、本発明に係る自動販売機ネットワークシステムは、従来の自動販売機ネットワークシステムの制御プログラムを一部修正するだけで、従来の自動販売機ネットワークシステムにハードの追加をすることなく実現できる。決済ボタンは不要なので、自動販売機の製造コストの上昇を招かない。
【０００６】
【発明の実施の形態】
本発明の実施例を説明する。
図１に示すように、自動販売機１と管理装置２とが遊技場等の施設内に設置されている。
自動販売機１は各種カードやＲＦタグ等のＩＤ情報媒体が有するＩＤ情報の読込装置と、売上情報を管理装置２へ送信する売上情報送信装置と、売上情報を記憶する売上情報記憶装置と、決済指示情報をＩＤ情報として予め記憶する決済指示情報記憶装置と、ＩＤ情報媒体が有するＩＤ情報が決済指示情報であるか否か判定する判定装置と、ＩＤ情報媒体が有するＩＤ情報が決済指示情報である時に決済指示情報を管理装置２へ送信する決済指示情報送信装置と、ＩＤ情報媒体が有するＩＤ情報が決済指示情報である時に売上情報を帳票出力する帳票出力装置とを有している。
管理装置２は、自動販売機１から受信した売上情報を記憶する売上情報記憶装置と、自動販売機１から決済指示情報を受信した時と、施設からの決済指示情報を受信した時とに自動販売機の売上情報を帳票出力する帳票出力装置とを有している。
自動販売機１と管理装置２とはオンラインで接続されている。
【０００７】
本実施例に係る自動販売機ネットワークシステムの決算に関与する作動を説明する。通常のキャッシュレス販売に関与する作動については説明を割愛する。
自動販売機１側の作動を図１、図２に基づいて説明する。
自動販売機の管理者が決算指示情報を有するＩＤ情報媒体３を自動販売機１のＩＤ情報読込装置へ挿入すると、ＩＤ情報媒体３が有するＩＤ情報がＩＤ情報読込装置によって読み込まれ、読み込まれたＩＤ情報が決済指示情報か否かが判定装置によって判定される（図２のステップＳ１、Ｓ２）。
読み込まれたＩＤ情報が決済指示情報ではない場合には、商品の販売が行われ（図２のステップＳ３）、ＩＤ情報を含む売上情報が売上情報送信装置によって管理装置２へ送信される（図２のステップＳ４）。売上情報が売上情報記憶装置に記憶される（図２のステップＳ５）。
読み込まれたＩＤ情報が決済指示情報である場合には、決済指示情報が決済指示情報送信装置により管理装置２へ送信され、前回の決算から今回の決算までの売上情報が帳票出力装置によりプリントアウトされ、次いで、前回の決算から今回の決算までの売上情報が売上情報記憶装置から消去される（図２のステップＳ６〜Ｓ８）。
【０００８】
管理装置２側の作動を図１、図３に基づいて説明する。
自動販売機１から受信した売上情報が売上情報記憶装置に記憶される（図３のステップＳ１〜Ｓ３）。
自動販売機１から決算指示情報を受信すると、自動販売機側の決算タイミングで、前回の決算から今回の決算までの売上情報が帳票出力装置によりプリントアウトされる（図３のステップＳ１、Ｓ２、Ｓ４）。
管理装置のオペレータが施設側の決算指示情報を手動入力し、或いは施設側の決算指示情報が自動入力されると、施設側の決算タイミングで、前回の決算から今回の決算までの自動販売機の売上情報が帳票出力装置によりプリントアウトされる（図３のステップＳ５、Ｓ６）。
図３のステップＳ６の売上情報プリントアウトの直前の図３のステップＳ４のプリントアウトの対象となった自動販売機の売上情報を管理装置の売上情報記憶装置から消去する。
【０００９】
本実施例に係る自動販売機ネットワークシステムにおいては、自動販売機１の売上情報が、自動販売機側の決算タイミングで、自動販売機１と管理装置２の双方で帳票出力されると共に、施設側の決算タイミングで管理装置２で帳票出力されるので、自動販売機側の決算タイミングと施設側の決算タイミング異なっていても、３つの帳票を比較することにより、ミス無く決算することがてきる。
本実施例に係る自動販売機ネットワークシステムにおいては、ＩＤ情報媒体３が有する決算指示情報を従来の自動販売機ネットワークシステムの既存のＩＤ情報媒体読込装置に読み込ませれば、決算指示情報が決算指示情報送信手段を介して管理装置へ送信されるので、自動販売機１に決算ボタンを付加する必要は無い。決算指示情報送信装置には、従来の自動販売機ネットワークシステムの既存の売上情報送信装置を当てることができる。従来の自動販売機ネットワークシステムの既存のＩＤ情報媒体３に決算指示情報を書き込めば、決算指示情報を有するＩＤ情報媒体３を作ることができる。従って、本発明に係る自動販売機ネットワークシステムは、従来の自動販売機ネットワークシステムの制御プログラムを一部修正するだけで、従来の自動販売機ネットワークシステムにハードの追加をすることなく実現できる。決済ボタンは不要なので、自動販売機１の製造コストの上昇を招かない。
上記の説明から分かるように、本実施例に係るキャッシュレス販売用の自動販売機ネットワークシステムは、自動販売機の製造コストの上昇を招くことなく、決済時のミスを防止することができる。
【００１０】
【発明の効果】
以上説明したごとく、本発明により、自動販売機の製造コストの上昇を招くことなく、決済時のミスを防止することができる、キャッシュレス販売用の自動販売機ネットワークシステムが提供される。
【図面の簡単な説明】
【図１】本発明の実施例に係るキャッシュレス販売用の自動販売機ネットワークシステムの機器構成図である。
【図２】決済に関与する自動販売機側の作動のフローチャートである。
【図３】決済に関与する管理装置側の作動のフローチャートである。
【符号の説明】
１  自動販売機
２  管理装置
３  ＩＤ情報媒体
【図１】
0004119561.tif 000002
【図２】
0004119561.tif 000003
【図３】
0004119561.tif 000004